(57)【要約】      （修正有）【課題】固着部材で壁等に取付、固着部材頭部に挿着し主保持金物で上部を、軸金物２下端のブラシ先保持金物で下部を、上下２点支持により保持し、落下防止補助金物を備え落下を事前に阻止しうる電動歯ブラシ保持具を提供する。【解決手段】固着部材頭部溝に挿着した主保持金物３で上部を、固着部材頭部の縦溝に挿着された軸金物２下端の挿着部材に挿着したブラシ先保持金物４で下部を、上下２点支持により安定した保持を可能とし、固着部材１の固着力低下により貫通孔に貫通された軸金物２が下降し、貫通用孔上部でストッパー12により下降が停止し、固着部材に変わり落下防止補助金物８が基板裏粘着テープ11の固着力により全荷重を支持し、軸金物２を介し当該電動歯ブラシ保持具を支持し突然の落下を防止します。【選択図】図２
0003116613.tif 000002
【実用新案登録請求の範囲】
【請求項１】
電動歯ブラシ保持具は、固着部材（背面中央に輪状の溝を設けた頭部を持つ吸盤又は、背面中央に輪状の溝を設けた頭部を持つ基板と裏面の粘着テープとで成る粘着盤）にて壁等に取付け、固着部材頭部溝に挿着した主保持金物で上部を保持、固着部材頭部に装着された軸金物下端に備えたブラシ先保持金物で下部を保持、電動歯ブラシを上記主保持金物及びブラシ先保持金物との上下２点支持により保持する電動歯ブラシ保持具。
【請求項２】
軸金物は固着部材頭部に設けた縦溝に貫通挿着することにより上下移動が可能となり、軸金物の上下移動により下部ブラシ先保持金物の高さ調整を可能とすることを特徴とする請求項１記載の電動歯ブラシ保持具。
【請求項３】
基板中央に軸金物貫通用孔付突起部を持ち、基板裏面の粘着テープにより壁等に固着する落下防止補助金物を備えることを特徴とする請求項２記載の電動歯ブラシ保持具。
【請求項４】
軸金物貫通用孔付突起部を持つ縦スライド板と基板とで成り、縦スライド板後部の基板面を警告色塗し、基板裏面の粘着テープにより壁等に固着する警告表示付落下防止補助金物を備えることを特徴とする請求項２記載の電動歯ブラシ保持具。
【請求項５】
電動歯ブラシ支持部に傾斜を付け、両端部に滑り止めを設した逆Ｕ字の二股状でＬ字形状で成り、両端部間の間隔の調整が可能な主保持金物を、装着することを特徴とする請求項１,２,３,又は４記載の電動歯ブラシ保持具。
【請求項６】
軸金物下端に挿着兼スライド用溝を設けたブラシ先保持金物装着用部材を備え、凹字下辺開放両端部Ｒ付の形状で成り、両端部間の間隔の調整が可能なブラシ先保持金物を前後スライド移動可能にし装着することを特徴とした請求項１,２,３,４又は５記載の電動歯ブラシ保持具。
【考案の詳細な説明】
【技術分野】
【０００１】
本考案は、固着部材に備えた上下２ヵ所の保持金物で電動歯ブラシを保持する、電動歯ブラシ保持具に関するものである。
【背景技術】
【０００２】
従来、多機種ある電動歯ブラシ単体製品に対応可能な保持具は無く、代用品とし小物入等に収納しているのが現状である。
【考案の開示】
【考案が解決しようとする課題】
【０００３】
従来、電動歯ブラシの保持具及び収納具は、電動歯ブラシと収納具がセットのスタンド型式が一般的であり、電動歯ブラシ単体製品については柄の部分を下にし立ておくか、従来の収納具等利用による収納しか無く、特に最近多機種市販されている電動歯ブラシ単体製品に対応しうる保持具が見当たらないのが現状である。
【０００４】
電動歯ブラシはモーター、バッテリー等駆動に必要な主要部品が柄の部分に収納されており、パッキン等により保護されてはいるが、上記スタンド形式及び柄の部分を下にし立ておく場合、水垂れによりパッキン等の劣化を早め電動歯ブラシの故障の原因になり、収納具等を利用した場合についても共に、常に清掃に心がけなければならず、怠れば不衛生になる。
【０００５】
従来、吸盤を使用したフック、小物収納具等考案され、必要な吸着力に応じた吸盤の選択はされてはいるが、吸盤を使用する場合吸引力低下による落下は逃れられない事実であり、落下後気付くのが現状である。
【０００６】
したがって、本考案の目的は、多機種の電動歯ブラシ単体製品に対応し、水垂れによる電動歯ブラシの故障の原因を無くし、突然の落下を事前に阻止しうる、電動歯ブラシ保持具を提供することにある。
【課題を解決するための手段】
【０００７】
請求項１記載の考案は、固着部材（背面中央に輪状の溝を設けた頭部を持つ吸盤又は、背面中央に輪状の溝を設けた頭部を持つ基板と裏面の粘着テープとで成る粘着盤）にて壁等に取付け、固着部材頭部溝に挿着した主保持金物で上部を保持、固着部材頭部に装着された軸金物下端に備えたブラシ先保持金物で下部を保持、電動歯ブラシを上記主保持金物及びブラシ先保持金物との上下２点支持により保持する電動歯ブラシ保持具を提供するものである。
【０００８】
請求項２記載の考案は、軸金物を固着部材頭部に設けた縦溝に貫通挿着することにより上下移動を可能とし、軸金物の上下移動により下部ブラシ先保持金物の高さ調整を可能とした、請求項１記載の電動歯ブラシ保持具を提供するものである。
【０００９】
請求項３記載の考案は、基板中央に軸金物貫通用孔付突起部を持ち、裏面の粘着テープにより壁等に固着する落下防止補助金物を備えた、請求項２記載の電動歯ブラシ保持具を提供するものである。
【００１０】
請求項４記載の考案は、軸金物貫通用孔付突起部を持つ縦スライド板と基板とで成り、縦スライド板後部の基板面を警告色塗とし、基板裏面の粘着テープにより壁等に固着する警告表示付落下防止補助金物を備えた、請求項２記載の電動歯ブラシ保持具を提供するものである。
【００１１】
請求項５記載の考案は、電動歯ブラシ支持部に傾斜を付け、両端部に滑り止めを設した、逆Ｕ字の二股状でＬ字形状で成り、両端部間の間隔の調整が可能な主保持金物を装着する、請求項１,２,３,又は４記載の電動歯ブラシ保持具を提供するものである。
【００１２】
請求項６記載の考案は、軸金物下端に挿着兼スライド用溝を設けたブラシ先保持金物装着用部材を備え、凹字下辺開放形両端部Ｒ付の形状で成り、両端部間の間隔の調整が可能なブラシ先保持金物を前後スライド移動可能にし装着する、請求項１,２,３,４又は５記載の電動歯ブラシ保持具を提供するものである。
【考案の効果】
【００１３】
請求項１記載の考案により、電動歯ブラシ保持具を固着部材で壁等に固着し、主保持金物で電動歯ブラシ胴部を、ブラシ先保持金物でブラシ先保持との上下２点支持によりブラシ先を下にし安定した保持を可能とし、図11に示すように水垂れは直接洗面化粧台のシンク廻りに落ち、電動歯ブラシの水垂れによる故障の原因を無くし、清掃も洗面化粧台使用時気が付く毎、洗い流すことにで容易に解決される。
【００１４】
請求項２記載の考案により、軸金物でブラシ先保持金物の高さ調整が可能で、より多機種の電動歯ブラシに対応可能となり、それぞれの機種の最良な位置で支持され安定した保持を可能とする。
【００１５】
請求項３記載の考案により、固着部材の固着力低下時、固着部材に変わり落下防止補助金物で支持し、事前に落下防止処置を可能とし、落下を阻止し電動歯ブラシの損傷を防ぐ。
【００１６】
請求項４記載の考案により、固着部材の固着力低下時警告色を表示し、固着部材に変わり落下防止補助金物で支持し、事前に落下防止処置を可能とし、落下を阻止し電動歯ブラシの損傷を防ぐ。
【００１７】
請求項５記載の考案により、主保持金物の電動歯ブラシ支持部に前面傾斜を付けることにより、電動歯ブラシの平行移動による着脱が可能となり又形状の微調整で、より多機種の電動歯ブラシに対応可能となる。
【００１８】
請求項６記載の考案により、ブラシ先保持金物が前後にスライド移動可能となり、壁等の安定した支持を得ることが可能となる。
【考案を実施するための最良の形態】
【００１９】
図面は、固着部材は吸盤で作図しています。
【００２０】
請求項１記載の考案は、固着部材１で壁等に取付け、固着部材頭部を介し備えた下記保持金物により安定した支持を得、電動歯ブラシ20の容易な着脱を可能にする、好適な保持具である。
【００２１】
当該、電動歯ブラシ保持具は図１、２、３、４に示すように、固着部材１の頭部誘導切り込み1bに前面より軸金物２（頂部にはストッパー12、下端にはブラシ先保持金物４を備えています）を挿入し縦溝1cに装着します、主保持金物３を上部より固着部材１頭部溝1aに落とし込み挿着（挿着により誘導切り込み1bを閉鎖し軸金物２を拘束します）することにより電動歯ブラシ保持具が構成されます。
【００２２】
固着部材１は図３,４に示すように、吸盤頭部、粘着盤頭部共、軸金物用の縦溝1c及び誘導切り込み1b、を加工します。
【００２３】
軸金物２は線材等で形成され、頂部にビーズ等を固定したストッパー12、下端にブラシ先保持金物４（図１,２）,4a備えた金物です。
【００２４】
ブラシ先保持金物４（図１,２）,4a（図６）は、線材等で形成しビーズ等接続部材６を介し軸金物２に固定します。
【００２５】
主保持金物３は、電動歯ブラシ20の全荷重を受ける金物で線材等で形成し、固着部材１頭部溝1aに上部より頭部溝1aに落とし込み挿着します。
【００２６】
請求項２記載の考案は、請求項１記載の軸金物２の長さを長くした保持具です。
主保持金物３を外し拘束を解き軸金物を上下移動させることによりブラシ先保持具４の高さ調整を可能にします、上部ストッパー12は、クリップも兼ねます。
【００２７】
請求項３記載の考案は、請求項２記載の軸金物２に落下防止補助金物８を備えた保持具です。
落下防止補助金物８は図９に示すように、中央に軸金物貫通用孔付突起部10を持つ基板8aと、基板裏面の粘着テープ11（図２）で構成され壁等に固着（通常時は無負荷状態）、固着部材１の固着力低下により貫通孔に貫通された軸金物２が下降し、貫通用孔上部でストッパー12により下降が停止し、固着部材に変わり落下防止補助金物８が基板裏粘着テープ11の固着力により全荷重を支持し、軸金物２を介し当該電動歯ブラシ保持具を支持し突然の落下を防止します。
【００２８】
請求項４記載の考案は、請求項２記載の軸金物２に落下防止補助金物９を備えた保持具です。
落下防止補助金物９は図１０に示すように、中央の縦スライド板9b、基板9a（縦スライド板後部の基板面には警告色塗9c）及び基板9a裏面の粘着テープ11（図２）で構成され壁等に固着（通常時は無負荷状態）、縦スライド板9bの正面中央には、軸金物用の貫通孔付突起部10を備え、固着部材１の固着力低下により貫通孔に貫通された軸金物２が下降し、共に下降したストッパー12が貫通孔付突起部10を介し縦スライド板9bを下降させ定位置に固定され、結果図10警告色9cが表示され、固着部材に変わり基板9b裏面の粘着テープ11の固着力により全荷重を支持し突然の落下を防止します。
【００２９】
請求項５記載の考案は、請求項１,２,３,及び４記載の主保持金物３に、傾斜部3aと両端部に滑り止め3bを設した保持具です。
主保持金物３は、線材等で形成され逆Ｕ字の二股状でＬ字形状で成り、両端部間の間隔調整が可能、電動歯ブラシ20の全荷重を受ける金物で、傾斜部3aで胴部を支持することにより、図１２に示すように傾斜部3aが支点20bとなり、胴部の重心20aを前面に移動させ、又ブラシ先をブラシ先保持金物４方向に移動させます、結果ブラシ先はスムーズにブラシ先保持金物4にセットされます、図５に示すように吸盤頭部の柔軟性を利用することにより主保持金物３が上下の柔軟な動きを得、前面への傾斜も相まって電動歯ブラシ20の着脱がほぼ平行移動で可能となります、又両端部間の間隔の調整により多機種の電動歯ブラシに対応できます。
【００３０】
請求項６記載の考案は、請求項１,２,３,４,及び５記載のブラシ先保持金物４を前後の移動を可能した保持具です。
図７,８に示すように、線材等で形成され凹字下辺開放両端部Ｒ付の形状で成り、両端部間の間隔の調整が可能なブラシ先保持金物4bを、軸金物２下端に備えた（両側に挿着兼スライド用溝7aを持つ）ブラシ先保持金物装着部材７に挿着し、ブラシ先保持金物４,4bは壁等支持面との距離をスライド移動により調整しつつ力を支持面に伝達します、又両端部間の間隔の調整により多機種の電動歯ブラシに対応できます。
【００３１】
図１１、に当該電動歯ブラシ保持具取付位置の参考例を示します。
【図面の簡単な説明】
【００３２】
【図１】請求項１の電動歯ブラシ保持具の全体構造を示した正面図、側面図。
【図２】請求項１の電動歯ブラシ保持具の全体構造を示した正面図、側面図。
【図３】吸盤の下見図、側面図。
【図４】粘着盤の正面図、下見図。
【図５】請求項５の主保持金物の側面図。
【図６】請求項１の主保持金物の下見図、側面図。
【図７】請求項６の挿着部材の下見図、側面図。
【図８】請求項６の主保持金物の下見図、側面図。
【図９】請求項３の落下防止補助金物の正面図。
【図１０】請求項４の落下防止補助金物の正面図。
【図１１】参考取付位置正面図、側面図。
【図１２】電動歯ブラシの装着側面図。
【符号の説明】
【００３３】
１        固着部材
１ａ      頭部溝
１ｂ      誘導切り込み
１ｃ      縦溝
２        軸金物
３        主保持金物
３ａ      傾斜部
３ｂ      滑り止め
４        ブラシ先保持金物
４ａ      ブラシ先保持金物
４ｂ      ブラシ先保持金物
５        吸盤
６        接続部材
７        装着部材
７ａ      挿着兼スライド用溝
８        落下防止補助金物
８ａ      基板
９        落下防止補助金物
９ａ      基板
９ｂ      縦スライド板
９ｃ      警告色塗
１０      孔付突起部
１１      粘着テープ
１２      ストッパー
１３      基板
２０      電動歯ブラシ
２０ａ    重心
２０ｂ    支点
３０      電動歯ブラシ及び電動歯ブラシ保持具
【図１】
0003116613.tif 000003
【図２】
0003116613.tif 000004
【図３】
0003116613.tif 000005
【図４】
0003116613.tif 000006
【図５】
0003116613.tif 000007
【図６】
0003116613.tif 000008
【図７】
0003116613.tif 000009
【図８】
0003116613.tif 000010
【図９】
0003116613.tif 000011
【図１０】
0003116613.tif 000012
【図１１】
0003116613.tif 000013
【図１２】
0003116613.tif 000014
【手続補正書】
【提出日】平成17年9月8日(2005.9.8)
【手続補正１】
【補正対象書類名】実用新案登録請求の範囲
【補正対象項目名】請求項１
【補正方法】変更
【補正の内容】
【請求項１】
電動歯ブラシ保持具は、背面中央に輪状の溝を設けた頭部を持つ吸盤タイプの固着部材又は、背面中央に輪状の溝を設けた頭部を持つ基板と裏面の粘着テープとで成る粘着盤タイプの固着部材にて壁等に取付け、固着部材頭部溝に挿着した主保持金物で上部を保持、固着部材頭部に装着された軸金物下端に備えたブラシ先保持金物で下部を保持、電動歯ブラシを上記主保持金物及びブラシ先保持金物との上下２点支持により保持する電動歯ブラシ保持具。